(57)【特許請求の範囲】
【請求項１】
ＯＬＴ（Optical Line Terminal）および複数のＯＮＵ（Optical Network Unit）が、光分岐器を介して接続され、光ファイバ伝送を実現するＰＯＮ（Passive Optical Network）システムであって、
ＧＰＳ（Global Positioning System）信号を受信するＧＰＳ信号受信装置から少なくとも時刻情報を取得し、取得した時刻情報を前記ＯＬＴに送信するクロック生成部と、
前記時刻情報が、前記クロック生成部から前記ＯＬＴへ送信され、前記ＯＬＴから前記クロック生成部へ戻ってくるまでの往復伝送遅延時間を予め設定した閾値時間と比較するＲＴＴ監視部と、を備え、
前記ＲＴＴ監視部は、監視中の往復伝送遅延時間が前記閾値時間よりも大きい場合は、補正情報を前記ＯＬＴに送信し、
前記ＯＬＴは、前記補正情報を受信した場合は、前記補正情報を用いて時刻情報を補正し、補正後の時刻情報を、前記各ＯＮＵにマルチキャスト配信し、
前記各ＯＮＵは、前記ＯＬＴから受信した補正後の時刻情報に基づいて、相互に同期を確立させることを特徴とするＰＯＮシステム。
【請求項２】
前記ＯＬＴは、前記補正情報を受信しなかった場合は、前記クロック生成部から受信した時刻情報を、前記各ＯＮＵにマルチキャスト配信し、
前記各ＯＮＵは、前記ＯＬＴから受信した時刻情報に基づいて、相互に同期を確立させることを特徴とする請求項１記載のＰＯＮシステム。
【請求項３】
前記クロック生成部および前記ＲＴＴ監視部が、マスターＯＮＵとしてのいずれか一つのＯＮＵに設けられたことを特徴とする請求項１または請求項２記載のＰＯＮシステム。
【請求項４】
光ファイバ伝送を実現するＰＯＮ（Passive Optical Network）システムに適用されるＯＮＵ（Optical Network Unit）であって、
ＧＰＳ（Global Positioning System）信号を受信するＧＰＳ信号受信装置から少なくとも時刻情報を取得し、取得した時刻情報をＯＬＴ（Optical Line Terminal）に送信するクロック生成部と、
前記時刻情報が、前記クロック生成部から前記ＯＬＴへ送信され、前記ＯＬＴから前記クロック生成部へ戻ってくるまでの往復伝送遅延時間を予め設定した閾値時間と比較し、往復伝送遅延時間が前記閾値時間よりも大きい場合は、補正情報を前記ＯＬＴに送信するＲＴＴ監視部と、を備えることを特徴とするＯＮＵ。
【請求項５】
光ファイバ伝送を実現するＰＯＮ（Passive Optical Network）システムに適用されるＯＬＴ（Optical Line Terminal）であって、
ＧＰＳ信号受信装置から提供された時刻情報を、クロック生成部を介して受信する受信部と、
前記時刻情報を配下のＯＮＵ（Optical Network Unit）にマルチキャスト配信する送信部と、
前記時刻情報が前記クロック生成部から自装置へ送信され、自装置から前記クロック生成部へ戻ってくるまでの往復伝送遅延時間が予め設定された閾値時間よりも大きい場合にＲＴＴ監視部から送信される補正情報を前記受信部が受信した場合、前記補正情報を用いて時刻情報を補正する制御部と、を備え、
前記送信部は、補正後の時刻情報を、前記各ＯＮＵにマルチキャスト配信することを特徴とするＯＬＴ。
【請求項６】
ＯＬＴ（Optical Line Terminal）および複数のＯＮＵ（Optical Network Unit）が、光分岐器を介して接続され、光ファイバ伝送を実現するＰＯＮ（Passive Optical Network）システムの伝送方法であって、
クロック生成部が、ＧＰＳ（Global Positioning System）信号を受信するＧＰＳ信号受信装置から少なくとも時刻情報を取得し、取得した時刻情報を前記ＯＬＴに送信するステップと、
ＲＴＴ監視部が、前記クロック生成部から送信された時刻情報が、前記ＯＬＴから戻ってくるまでの往復伝送遅延時間を監視するステップと、
前記ＲＴＴ監視部が、前記時刻情報が、前記クロック生成部から前記ＯＬＴへ送信され、前記ＯＬＴから前記クロック生成部へ戻ってくるまでの往復伝送遅延時間を予め設定した閾値時間と比較し、往復伝送遅延時間が前記閾値時間よりも大きい場合は、補正情報を前記ＯＬＴに送信するステップと、
前記ＯＬＴが、前記補正情報を受信した場合は、前記補正情報を用いて時刻情報を補正し、補正後の時刻情報を、前記各ＯＮＵにマルチキャスト配信するステップと、
前記各ＯＮＵが、前記ＯＬＴから受信した補正後の時刻情報に基づいて、相互に同期を確立させるステップと、を少なくとも含むことを特徴とする伝送方法。
【発明の詳細な説明】
【技術分野】
【０００１】
本発明は、光ファイバ伝送を実現するＰＯＮ（Passive Optical Network）システム、ＯＮＵ（Optical Network Unit）、ＯＬＴ（Optical Line Terminal）および伝送方法に関する。
【背景技術】
【０００２】
近年、移動通信網が提供する無線アクセスネットワークの高速化に伴って、基地局装置がカバーする領域（セル）が狭くなり、その結果、移動通信網を構成するために設置すべき基地局装置数が増大している。このため、複数の基地局装置を収容するためのネットワークとして、１本の光伝送路を複数の加入者で共有する受動光網（PON：Passive Optical Network）システムが検討されている。
【０００３】
ＰＯＮシステムでは、通信事業者の局に設置された１つの光伝送路終端装置（OLT：Optical Line Terminal）が光分岐器を介して複数の加入者側宅内端末（ONU：Optical Network Unit）と接続されている。ＯＬＴは、複数のＯＮＵ、例えば、６４台のＯＮＵに対して時分割多重方式により動的に上り帯域を割り当てることで、高い帯域の利用効率を実現している。
【０００４】
ＰＯＮシステムにおいて、複数の基地局装置を収容する場合、基地局装置間の周波数および時刻同期が必須となる。従来は、基準時刻情報を受信するために各基地局装置にＧＰＳ（Global Positioning System）アンテナを設置することが一般的であった。しかし、基地局装置における設置環境等の制約により、ＧＰＳアンテナが設置できない場合があった。このため、例えば、非特許文献１および２では、上位ネットワーク機器から下位ネットワーク機器へ周波数および時刻情報を配信し、ネットワーク全体の周波数および時刻を同期する技術が開示されている。また、非特許文献３および特許文献１では、図６に示すように、ＯＬＴにＧＰＳアンテナを設置し、当該ＧＰＳアンテナで受信した周波数および時刻情報を、光アクセス分配網を介して各ＯＮＵに配信する技術を開示している。
【先行技術文献】
【特許文献】
【０００５】
【特許文献１】特開２０１１−０４０８７０号公報
【非特許文献】
【０００６】
【非特許文献１】IEEE Std 1588-2008, “IEEE Standard for a Precision Clock Synchronization Protocol for Network Measurement and Control Systems, ”2008.
【非特許文献２】K. Hann, “Synchronous Ethernet to Transport Frequency and Phase/Time,” IEEE Communication Magazine, vol.50, no.8, pp.152-160, August 2012.
【非特許文献３】田代 隆義ほか，“モバイルバックホール適用に向けた周波数・時刻同期機能対応10G-EPONシステム，”信学論(B), vol.J96-B, no.3, pp.321-329, March 2013.
【発明の概要】
【発明が解決しようとする課題】
【０００７】
しかしながら、非特許文献１および２に記載されている技術では、上位および下位ネットワーク機器を、周波数および時刻同期専用の機器に全て置換しなければならない。例えば、ＩＥＥＥ１５８８により、時刻情報を、ＯＬＴからＩＰネットワークを経由して各ＯＮＵに提供するためには、ＩＰネットワーク側の機器が、すべてＩＥＥＥ１５８８に対応していなければならない。このため、ＩＰネットワーク側に１台でもＩＥＥＥ１５８８に対応していない機器があった場合、クロック信号を各ＯＮＵに提供することができない。
【０００８】
また、非特許文献３および特許文献１に記載されている技術では、ＯＬＴが設置されている局舎にＧＰＳ信号を伝送するための同軸ケーブルや、ＧＰＳ信号を受信するための受信装置を設置しなければならないが、局舎の機器設置スペースが制約されている場合には適用困難である。
【０００９】
さらに、ＯＮＵ側でＧＰＳ信号を取得し、ＧＰＳ信号に基づく時刻情報をＯＬＴに提供し、ＯＬＴから各ＯＮＵに時刻情報を配信するループバック方式を採用する際、ＯＬＴでトラヒックの輻輳が発生すると、ＯＮＵから送信される時刻情報の転送処理時間にゆらぎが生じ、各ＯＮＵにおける時刻同期精度が劣化してしまう。
【００１０】
本発明は、このような事情に鑑みてなされたものであり、ＯＮＵ側で取得したＧＰＳ信号の時刻情報をＯＬＴに提供し、その時刻情報を、ＯＬＴを介して各ＯＮＵに配信するというループバック方式を実現すると共に、ＯＬＴ側でトラヒックが輻輳した場合であっても、時刻同期の精度を維持することができるＰＯＮシステム、ＯＮＵ、ＯＬＴおよび伝送方法を提供することを目的とする。
【課題を解決するための手段】
【００１１】
（１）上記の目的を達成するために、本発明は、以下のような手段を講じた。すなわち、本発明のＰＯＮシステムは、ＯＬＴ（Optical Line Terminal）および複数のＯＮＵ（Optical Network Unit）が、光分岐器を介して接続され、光ファイバ伝送を実現するＰＯＮ（Passive Optical Network）システムであって、ＧＰＳ（Global Positioning System）信号を受信するＧＰＳ信号受信装置から少なくとも時刻情報を取得し、取得した時刻情報を前記ＯＬＴに送信するクロック生成部と、前記クロック生成部から送信された時刻情報が、前記ＯＬＴから戻ってくるまでの往復伝送遅延時間を監視するＲＴＴ監視部と、を備え、前記ＲＴＴ監視部は、監視中の往復伝送遅延時間が予め定められた閾値よりも大きい場合は、補正情報を前記ＯＬＴに送信し、前記ＯＬＴは、前記補正情報を受信した場合は、前記補正情報を用いて時刻情報を補正し、補正後の時刻情報を、前記各ＯＮＵにマルチキャスト配信し、前記各ＯＮＵは、前記ＯＬＴから受信した補正後の時刻情報に基づいて、相互に同期を確立させることを特徴とする。
【００１２】
このように、ＲＴＴ監視部は、監視中の往復伝送遅延時間が予め定められた閾値よりも大きい場合は、補正情報をＯＬＴに送信し、ＯＬＴは、補正情報を受信した場合は、補正情報を用いて時刻情報を補正し、補正後の時刻情報を、各ＯＮＵにマルチキャスト配信し、各ＯＮＵは、ＯＬＴから受信した補正後の時刻情報に基づいて、相互に同期を確立させるので、ＯＬＴにおけるトラヒックの輻輳等の原因により、往復伝送遅延時間が変動し、閾値よりも大きくなった場合は、補正情報がＯＬＴに提供され、時刻情報が補正されるため、正確な時刻情報を各ＯＮＵにマルチキャスト配信することが可能となる。これにより、各ＯＮＵにおける時刻同期の精度を維持することが可能となる。
【００１３】
（２）また、本発明のＰＯＮシステムにおいて、前記ＯＬＴは、前記補正情報を受信しなかった場合は、前記クロック生成部から受信した時刻情報を、前記各ＯＮＵにマルチキャスト配信し、前記各ＯＮＵは、前記ＯＬＴから受信した時刻情報に基づいて、相互に同期を確立させることを特徴とする。
【００１４】
このように、ＯＬＴは、補正情報を受信しなかった場合は、クロック生成部から受信した時刻情報を、各ＯＮＵにマルチキャスト配信し、各ＯＮＵは、ＯＬＴから受信した時刻情報に基づいて、相互に同期を確立させるので、ＧＰＳ信号を用いたループバック方式をＰＯＮシステムに適用することが可能となる。
【００１５】
（３）また、本発明のＰＯＮシステムは、前記クロック生成部および前記ＲＴＴ監視部が、マスタＯＮＵとしてのいずれか一つのＯＮＵに設けられたことを特徴とする。
【００１６】
このように、クロック生成部およびＲＴＴ監視部が、マスタＯＮＵとしてのいずれか一つのＯＮＵに設けられたので、複数存在するＯＮＵのうち、いずれか一つのＯＮＵでＧＰＳ信号から時刻情報を取得し、ＯＬＴを介したループバック転送を実現し、各ＯＮＵに時刻情報をマルチキャスト配信することが可能となる。これにより、ＰＯＮシステムにおける各ＯＮＵ間の時刻同期の精度を維持することが可能となる。
【００１７】
（４）また、本発明のＯＮＵは、光ファイバ伝送を実現するＰＯＮ（Passive Optical Network）システムに適用されるＯＮＵ（Optical Network Unit）であって、ＧＰＳ（Global Positioning System）信号を受信するＧＰＳ信号受信装置から少なくとも時刻情報を取得し、取得した時刻情報を前記ＯＬＴに送信するクロック生成部と、前記クロック生成部から送信された時刻情報が、前記クロック生成部から送信された時刻情報が、前記ＯＬＴから戻ってくるまでの往復伝送遅延時間を監視し、監視中の往復伝送遅延時間が予め定められた閾値よりも大きい場合は、補正情報を前記ＯＬＴに送信するＲＴＴ監視部と、を備えることを特徴とする。
【００１８】
このように、ＧＰＳ信号を受信するＧＰＳ信号受信装置から少なくとも時刻情報を取得し、取得した時刻情報をＯＬＴに送信し、クロック生成部から送信された時刻情報が、ＯＬＴから戻ってくるまでの往復伝送遅延時間を監視し、監視中の往復伝送遅延時間が予め定められた閾値よりも大きい場合は、補正情報をＯＬＴに送信するので、ＯＬＴにおけるトラヒックの輻輳等の原因により、往復伝送遅延時間が変動し、閾値よりも大きくなった場合は、補正情報をＯＬＴに提供することが可能となる。これにより、ＯＬＴにおいては、時刻情報を正しいものに補正することが可能となり、正確な時刻情報を各ＯＮＵにマルチキャスト配信することが可能となる。これにより、各ＯＮＵにおける時刻同期の精度を維持することが可能となる。
【００１９】
（５）また、本発明のＯＬＴは、光ファイバ伝送を実現するＰＯＮ（Passive Optical Network）システムに適用されるＯＬＴ（Optical Line Terminal）であって、ＧＰＳ信号受信装置から提供された時刻情報を受信する受信部と、前記時刻情報を配下のＯＮＵ（Optical Network Unit）にマルチキャスト配信する送信部と、前記受信部が、時刻情報の往復伝送遅延時間が予め定められた閾値よりも大きい場合に送信される補正情報を受信した場合、前記補正情報を用いて時刻情報を補正する制御部と、を備え、前記送信部は、補正後の時刻情報を、前記各ＯＮＵにマルチキャスト配信することを特徴とする。
【００２０】
このように、受信部が、時刻情報の往復伝送遅延時間が予め定められた閾値よりも大きい場合に送信される補正情報を受信した場合、補正情報を用いて時刻情報を補正し、補正後の時刻情報を、各ＯＮＵにマルチキャスト配信するので、ＯＬＴにおけるトラヒックの輻輳等の原因により、往復伝送遅延時間が変動し、閾値よりも大きくなった場合であっても、補正情報を用いて時刻情報を補正することが可能となり、正確な時刻情報を各ＯＮＵにマルチキャスト配信することが可能となる。これにより、各ＯＮＵにおける時刻同期の精度を維持することが可能となる。
【００２１】
（６）また、本発明の伝送方法は、ＯＬＴ（Optical Line Terminal）および複数のＯＮＵ（Optical Network Unit）が、光分岐器を介して接続され、光ファイバ伝送を実現するＰＯＮ（Passive Optical Network）システムの伝送方法であって、クロック生成部が、ＧＰＳ（Global Positioning System）信号を受信するＧＰＳ信号受信装置から少なくとも時刻情報を取得し、取得した時刻情報を前記ＯＬＴに送信するステップと、ＲＴＴ監視部が、前記クロック生成部から送信された時刻情報が、前記ＯＬＴから戻ってくるまでの往復伝送遅延時間を監視するステップと、前記ＲＴＴ監視部が、監視中の往復伝送遅延時間が予め定められた閾値よりも大きい場合は、補正情報を前記ＯＬＴに送信するステップと、前記ＯＬＴが、前記補正情報を受信した場合は、前記補正情報を用いて時刻情報を補正し、補正後の時刻情報を、前記各ＯＮＵにマルチキャスト配信するステップと、前記各ＯＮＵが、前記ＯＬＴから受信した補正後の時刻情報に基づいて、相互に同期を確立させるステップと、を少なくとも含むことを特徴とする。
【００２２】
このように、ＲＴＴ監視部が、監視中の往復伝送遅延時間が予め定められた閾値よりも大きい場合は、補正情報をＯＬＴに送信し、ＯＬＴは、補正情報を受信した場合は、補正情報を用いて時刻情報を補正し、補正後の時刻情報を、各ＯＮＵにマルチキャスト配信し、各ＯＮＵは、ＯＬＴから受信した補正後の時刻情報に基づいて、相互に同期を確立させるので、ＯＬＴにおけるトラヒックの輻輳等の原因により、往復伝送遅延時間が変動し、閾値よりも大きくなった場合は、補正情報がＯＬＴに提供され、時刻情報が補正されるため、正確な時刻情報を各ＯＮＵにマルチキャスト配信することが可能となる。これにより、各ＯＮＵにおける時刻同期の精度を維持することが可能となる。
【発明の効果】
【００２３】
本発明によれば、ＯＬＴにおけるトラヒックの輻輳等の原因により、往復伝送遅延時間が変動し、閾値よりも大きくなった場合は、補正情報がＯＬＴに提供され、時刻情報が補正されるため、正確な時刻情報を各ＯＮＵにマルチキャスト配信することが可能となる。これにより、各ＯＮＵにおける時刻同期の精度を維持することが可能となる。
【図面の簡単な説明】
【００２４】
【図１】本発明の実施形態に係るＰＯＮシステムの概略構成を示す図である。
【図２】マスタＯＮＵ５０−１の概略構成を示すブロック図である。
【図３】ＯＬＴ１０の概略構成を示すブロック図である。
【図４】スレイブＯＮＵ５０−２の概略構成ブロック図を示す。
【図５】本実施形態に係るＰＯＮシステムの動作を示すフローチャートである。
【図６】従来のＰＯＮシステムの概略構成を示す図である。
【発明を実施するための形態】
【００２５】
本発明者らは、ＯＮＵ側で取得したＧＰＳ信号の時刻情報をＯＬＴに提供し、その時刻情報を、ＯＬＴを介して各ＯＮＵに配信するというループバック方式を実現しようとする場合、ＯＬＴ側でトラヒックの輻輳等が発生してしまうと、ＯＮＵから送信された時刻情報の転送処理時間にゆらぎが生じ、各ＯＮＵ間の時刻同期精度が劣化してしまうことに着目し、ＯＬＴ側で発生したトラヒックの輻輳によって往復伝送遅延時間が変動した場合は、その時刻差分をＯＬＴに通知し、ＯＬＴ側で時刻情報を補正することによって、各ＯＮＵ間における時刻同期の精度を維持することができることを見出し、本発明をするに至った。
【００２６】
すなわち、本発明のＰＯＮシステムは、ＯＬＴ（Optical Line Terminal）および複数のＯＮＵ（Optical Network Unit）が、光分岐器を介して接続され、光ファイバ伝送を実現するＰＯＮ（Passive Optical Network）システムであって、ＧＰＳ（Global Positioning System）信号を受信するＧＰＳ信号受信装置から少なくとも時刻情報を取得し、取得した時刻情報を前記ＯＬＴに送信するクロック生成部と、前記クロック生成部から送信された時刻情報が、前記ＯＬＴから戻ってくるまでの往復伝送遅延時間を監視するＲＴＴ監視部と、を備え、前記ＲＴＴ監視部は、監視中の往復伝送遅延時間が予め定められた閾値よりも大きい場合は、補正情報を前記ＯＬＴに送信し、前記ＯＬＴは、前記補正情報を受信した場合は、前記補正情報を用いて時刻情報を補正し、補正後の時刻情報を、前記各ＯＮＵにマルチキャスト配信し、前記各ＯＮＵは、前記ＯＬＴから受信した補正後の時刻情報に基づいて、相互に同期を確立させることを特徴とする。
【００２７】
この構成により、本発明者らは、ＯＬＴにおけるトラヒックの輻輳等の原因により、往復伝送遅延時間が変動し、閾値よりも大きくなった場合であっても、補正情報をＯＬＴに提供し、時刻情報を補正することによって、正確な時刻情報を各ＯＮＵにマルチキャスト配信することを可能とした。そして、各ＯＮＵにおける時刻同期の精度を維持することを可能とした。以下、本発明の実施形態について、図面を参照しながら具体的に説明する。
【００２８】
図１は、本発明の実施形態に係るＰＯＮシステムの概略構成を示す図である。図１に示すように、ＯＬＴ１０の配下に、光スプリッタ３０を介して合計ｎ台（ｎは任意の整数）のＯＮＵ５０−１〜ｎが接続されている。そのうち１台（図１では、ＯＮＵ５０−１）にはＧＰＳアンテナ５１が接続されており、当該ＧＰＳアンテナで受信した時刻情報は、ＯＬＴ１０を介して他のＯＮＵ５０−２〜ｎに配信される。ＯＮＵ５０−１〜ｎの配下には基地局１００−１〜ｎが接続されている。なお、本実施形態では、ＧＰＳアンテナ５１が接続されているＯＮＵ５０−１を“マスタＯＮＵ”と呼称し、それ以外のＯＮＵ５０−２〜ｎを“スレイブＯＮＵ”と呼称することとする。
【００２９】
図２は、マスタＯＮＵ５０−１の概略構成を示すブロック図である。マスタＯＮＵ５０−１は、光送受信を行なうＴＲＸ５２、ＣＰＵ５４、ユーザ・ネットワーク・インタフェースであるＵＮＩ５８から構成されている。また、マスタＯＮＵ５０−１には、マスタのクロック生成部５６およびＲＴＴ監視部５７が設けられている。ＧＰＳアンテナ５１で受信したＧＰＳ信号は、マスタのクロック生成部５６において、時刻情報（例えば、IEEE1588 PTPパケットなど）に変換される。上りデータ信号は、ＵＮＩ５８を介してＣＰＵ５４に供給される。ＣＰＵ５４は、ＯＬＴ１０との間で上り信号を送信可能なタイムスロットをスケジューリングし、当該タイムスロットに合わせて時刻情報およびデータ信号を時間軸上で多重する。ＴＲＸ５２は、時刻情報およびデータ信号をＯＬＴ１０に対して送信する。
【００３０】
マスタＯＮＵ５０−１は、自ら送信した時刻情報を、ＯＬＴ１０を経由してＴＲＸ５２で受信する。ＣＰＵ５４は、下り信号のうち時刻情報のみを選別し、マスタのクロック生成部５６に転送する。クロック生成部５６では、ＲＴＴ監視部５７が自ら送信した時刻情報を受信するまでの往復遅延時間（RTT : Round Trip Time）を常時モニタする。ＯＬＴ１０側で処理するトラヒックの輻輳などにより、ＲＴＴが大きく変動し、ＲＴＴ変動が、予め設定した閾値時間以上に継続した場合、当該ＲＴＴ変動に相当する時刻差分をＯＬＴ１０に通知する。ここで、トラヒック変動が、ごく短い時間で発生した場合には、ＯＬＴ１０へ時刻差分を通知せず、ＯＬＴ１０側での時刻補正も行なわない。
【００３１】
図３は、ＯＬＴ１０の概略構成を示すブロック図である。ＯＬＴ１０は、ｍ枚（ｍは任意の整数）のＯＬＴラインカード１０−１〜ｍを備えている。集線部１８は、ＯＬＴラインカード１０−１〜ｍの上り信号を集約して上位ネットワークへ転送するとともに、上位ネットワークから受信した下り信号を、ＯＬＴラインカード１０−１〜ｍに分配する。ＯＬＴラインカード１０−１〜ｍは同一の構成であるため、本実施形態では、ＯＬＴラインカード１０−１を例にとって説明する。ＯＬＴラインカード１０−１は、ｐ個のＴＲＸ１２−１〜ｐ、ＣＰＵ１４、時刻補正部１５、およびＳＷ（スイッチ）１６から構成されている。
【００３２】
上位ネットワークで受信した下り信号は、集線部１８においてＯＬＴラインカード１０−１〜ｍに分配され、ＳＷ１６は、下り信号を、ＣＰＵ１４を介して転送すべきＴＲＸ１２−１〜ｐ向けに分配する。時刻情報の信号の流れについて、ここではＴＲＸ１２−１を例にとって説明する。ＴＲＸ１２−１で受信した上り信号は、ＣＰＵ１４を介してＳＷ１６に入射する。ＳＷ１６では、上り信号のうちマスタＯＮＵ５０−１からの時刻情報のみを、選択的にＣＰＵ１４側へ折り返す。その後、時刻情報はＴＲＸ１２−１を介して配下の全ＯＮＵへマルチキャスト配信される。
【００３３】
ここで、全ＯＮＵと精度良く時刻同期するためには、ＳＷ１６で処理するトラヒックに輻輳が生じ、マスタＯＮＵ５０−１でモニタするＲＴＴの変動が大きくなった場合であっても、ＲＴＴ変動を正しく把握し、当該ＲＴＴ変動に相当する時刻差分を適切に補正しなければならない。そこで、本実施形態に係るＰＯＮシステムでは、ＯＮＵ５０−１でＲＴＴ変動を継続的に検知した場合、当該ＲＴＴ変動に相当する時刻差分をＯＬＴ１０側に通知し、ＯＬＴ側で当該時刻差分を補正する構成を採る。
【００３４】
より具体的には、ＯＬＴラインカード１０−１が、マスタＯＮＵ５０−１から時刻差分を受信すると、ＣＰＵ１４の時刻補正部１５において、ＳＷ１６から折り返す時刻情報のタイムスタンプをＯＮＵ５０−１から通知された時刻差分で補正し、補正した時刻情報を配下の全ＯＮＵ５０−１〜ｎへマルチキャスト配信する。これにより、ＯＬＴ１０側で処理するトラヒックが輻輳した場合であっても、適切に時刻差分を補正しながら、全ＯＮＵと高い精度で時刻同期できる。
【００３５】
なお、時刻情報の上り伝送によるタイミング揺らぎを抑えるため、ＯＮＵ５０−１からＯＬＴ１０への時刻情報は、固定タイムスロットかつ一定周期で伝送するように制御することが好ましい。さらに、ＯＬＴ１０側では、時刻情報を優先的に、一定の処理遅延となるように制御することが好ましい。また、マスタＯＮＵ５０−１側でＲＴＴ変動を継続的に検知した場合には、更なるトラヒック輻輳を避けるため、マスタＯＮＵ５０−１が送信する時刻情報の送信レートを下げる構成としても良い。
【００３６】
図４は、スレイブＯＮＵ５０−２の概略構成ブロック図を示す。スレイブＯＮＵ５０−２〜ｎは同一の構成であるため、本実施形態では、スレイブＯＮＵ５０−２を例にとって説明する。スレイブＯＮＵ５０−２は、ＴＲＸ５２、ＣＰＵ５４、ＵＮＩ５８を備えている。また、スレイブのクロック生成部６０を備えている。ＯＬＴ１０に接続するスレイブＯＮＵ５０−２〜ｎは、それぞれ光ファイバ接続距離が異なるため、ＣＰＵ５４は、ＯＬＴ１０との論理リンク確立時に得たＲＴＴを保持し、当該ＲＴＴの半分の値でＯＬＴ１０から受信した時刻情報のタイムスタンプを補正する。補正した時刻情報は、スレイブのクロック生成部６０に供給され、スレイブのクロック生成部６０にてＧＰＳ信号に変換され、配下の基地局へ供給される。
【００３７】
図５は、本実施形態に係るＰＯＮシステムの動作を示すフローチャートである。まず、ＯＬＴ１０は、ＯＮＵ５０−１〜ｎとの論理リンクを確立し、時刻情報を含む上下信号伝送を開始する（ステップＳ１）。次に、マスタＯＮＵ５０−１にて、ＯＬＴ１０における折り返しにかかる時刻情報のＲＴＴを計測し（ステップＳ２）、ＲＴＴ変動が発生しているか判定する（ステップＳ３）。ステップＳ３において、ＲＴＴ変動が生じていない場合は、ステップＳ２に遷移する一方、ＲＴＴ変動が生じている場合は、そのＲＴＴ変動が、予め定められている閾値を超えたかどうかを判断する（ステップＳ４）。ステップＳ４において、ＲＴＴ変動が、予め定められている閾値を超えていない場合は、ステップＳ２に遷移する一方、ＲＴＴ変動が、予め定められている閾値を超えた場合は、補正情報として、マスタＯＮＵからＯＬＴへ時刻差分通知を行なう（ステップＳ５）。次に、ＯＬＴにおいて、時刻情報のタイムスタンプを、マスタＯＮＵ５０−１から受信した時刻差分で補正し（ステップＳ６）、配下の全ＯＮＵへ補正した時刻情報を転送して、ステップ２に戻る。
【００３８】
以上説明したように、本実施形態によれば、ＲＴＴ監視部５７は、監視中の往復伝送遅延時間（ＲＴＴ）が予め定められた閾値よりも大きい場合は、補正情報としての時刻差分をＯＬＴ１０に送信し、ＯＬＴ１０は、時刻差分を受信した場合は、その時刻差分を用いて時刻情報を補正し、補正後の時刻情報を、各ＯＮＵ５０−１〜ｎにマルチキャスト配信し、各ＯＮＵ５０−１〜ｎは、ＯＬＴ１０から受信した補正後の時刻情報に基づいて、相互に同期を確立させるので、ＯＬＴ１０におけるトラヒックの輻輳等の原因により、往復伝送遅延時間が変動し、閾値よりも大きくなった場合は、時刻差分がＯＬＴ１０に提供され、時刻情報が補正されるため、正確な時刻情報を各ＯＮＵ５０−１〜ｎにマルチキャスト配信することが可能となる。これにより、各ＯＮＵ５０−１〜ｎにおける時刻同期の精度を維持することが可能となる。
【符号の説明】
【００３９】
１０  ＯＬＴ
１０−１〜１０−ｍ  ＯＬＴラインカード
１２−１〜１２−ｐ  ＴＲＸ（光送受信機）
１４  ＣＰＵ
１５  時刻補正部
１６  ＳＷ（スイッチ）
１８  集線部
３０  光スプリッタ（光分岐器）
５０−１  マスタＯＮＵ
５０−２〜５０−ｎ  スレイブＯＮＵ
５１  ＧＰＳアンテナ
５２  ＴＲＸ（光送受信機）
５４  ＣＰＵ
５６  クロック生成部（マスタ）
５７  ＲＴＴ監視部
５８  ＵＮＩ（ユーザ・ネットワーク・インタフェース）
６０  クロック生成部
１００−１〜１００−ｎ  基地局
【図１】
0006426459.tif 000002
【図２】
0006426459.tif 000003
【図３】
0006426459.tif 000004
【図４】
0006426459.tif 000005
【図５】
0006426459.tif 000006
【図６】
0006426459.tif 000007